(57)【特許請求の範囲】
【請求項１】
浴室内を暖房する暖房ユニットと、
先端にミストノズルが接続されたミスト水路と、該ミスト水路を流通する水を加熱するミスト加熱部と、該ミスト水路を開閉するミスト開閉弁とを有し、該ミスト開閉弁を開弁状態として、該ミスト加熱部により加熱生成された湯を前記ミストノズルから噴霧するミスト噴霧ユニットと、
前記暖房ユニットにより浴室内を暖房しつつ、前記ミスト噴霧ユニットにより浴室内に湯を噴霧するミストサウナ運転を実行する運転制御部と、
前記運転制御部に対して、前記ミストサウナ運転の開始を指示するミストサウナ開始指示部と、
前記ミストノズルからの湯の噴霧が開始されたことを検知する噴霧開始検知部と、
前記ミストサウナ開始指示部による前記ミストサウナ運転の開始指示がなされたときに、前記噴霧開始検知部により前記ミストノズルからの湯の噴霧の開始が検知された後、所定のミストサウナ準備完了条件が成立した時に、浴室内がミストサウナ状態になっていることを報知するミストサウナ報知部とを備え、
前記ミスト加熱部は、前記ミスト水路及び熱媒が供給される熱媒循環路の途中に接続されて、前記ミスト水路を流通する水を前記熱媒循環路を流通する熱媒からの放熱により加熱する液々熱交換器であり、
前記ミスト噴霧ユニットは、前記ミスト水路の前記液々熱交換器と前記ミストノズルとの間に設けられて、前記ミスト水路内の湯水の温度を検出するミスト温度センサを有し、
前記運転制御部は、前記ミストサウナ運転の開始指示があったときに、前記熱媒循環路を介した前記液々熱交換器への熱媒の供給を開始し、その後、前記ミスト温度センサの検出温度が所定のミスト開始温度以上になった時に、前記ミスト開閉弁を開弁する処理を行い、
前記噴霧開始検知部は、前記ミストサウナ開始指示部による前記ミストサウナ運転の開始指示がなされた後、前記ミスト温度センサの検出温度が、前記ミスト開始温度を超えた後に第１温度幅以上低下したときに、前記ミストノズルからの湯の噴霧が開始されたと検知することを特徴とするミストサウナ機能付き浴室暖房装置。
【請求項２】
浴室内を暖房する暖房ユニットと、
先端にミストノズルが接続されたミスト水路と、該ミスト水路を流通する水を加熱するミスト加熱部と、該ミスト水路を開閉するミスト開閉弁とを有し、該ミスト開閉弁を開弁状態として、該ミスト加熱部により加熱生成された湯を前記ミストノズルから噴霧するミスト噴霧ユニットと、
前記暖房ユニットにより浴室内を暖房しつつ、前記ミスト噴霧ユニットにより浴室内に湯を噴霧するミストサウナ運転を実行する運転制御部と、
前記運転制御部に対して、前記ミストサウナ運転の開始を指示するミストサウナ開始指示部と、
前記ミストノズルからの湯の噴霧が開始されたことを検知する噴霧開始検知部と、
前記ミストサウナ開始指示部による前記ミストサウナ運転の開始指示がなされたときに、前記噴霧開始検知部により前記ミストノズルからの湯の噴霧の開始が検知された後、所定のミストサウナ準備完了条件が成立した時に、浴室内がミストサウナ状態になっていることを報知するミストサウナ報知部と、
浴室内の温度を検出する浴室温度センサとを備え、
前記噴霧開始検知部は、前記ミストサウナ開始指示部による前記ミストサウナ運転の開始指示がなされた後、前記浴室温度センサの検出温度が第２温度幅以上低下したときに、前記ミストノズルからの湯の噴霧が開始されたと検知することを特徴とするミストサウナ機能付き浴室暖房装置。
【請求項３】
請求項１又は請求項２に記載のミストサウナ機能付き浴室暖房装置において、
前記ミストサウナ準備完了条件として、所定のミストサウナ準備時間の経過が設定され、
浴室内の温度を検出する浴室温度センサと、
前記ミストサウナ開始指示部による前記ミストサウナ運転の開始指示がなされたときに、該開始指示がなされた時点での前記浴室温度センサの検出温度に基づいて、該検出温度が低いほど前記ミストサウナ準備時間を長く設定するミストサウナ準備時間設定部と
を備えたことを特徴とするミストサウナ機能付き浴室暖房装置。
【請求項４】
請求項１から請求項３のうちいずれか１項記載のミストサウナ機能付き浴室暖房装置において、
前記ミストサウナ準備完了条件として、所定のミストサウナ準備時間の経過が設定され、
浴室内の温度を検出する浴室温度センサを備え、
前記ミストサウナ報知部は、前記ミストサウナ開始指示部による前記ミストサウナ運転の開始指示がなされたときに、前記噴霧開始検知部により前記ミストノズルからの湯の噴霧の開始が検知された時点から、前記ミストサウナ準備時間が経過し、且つ、前記浴室温度センサの検出温度が所定のミストサウナ準備温度以上となったときに、前記報知を行なうことを特徴とするミストサウナ機能付き浴室暖房装置。
【発明の詳細な説明】
【技術分野】
【０００１】
本発明は、浴室内を暖房しつつ浴室内に湯を噴霧して、サウナ効果を生じさせるミストサウナ機能を有する浴室暖房装置に関する。
【背景技術】
【０００２】
従来より、熱源機と、熱源機から循環供給される温水を用いて浴室を暖房する浴室暖房装置と、熱源機を遠隔操作するリモコンとを備えた温水暖房システムにおいて、台所等に設けられたリモコンと浴室に設けられた浴室暖房装置とを、熱源機を介して双方向に通信可能に構成し、リモコンによる浴室の暖房の開始を指示を可能にすると共に、暖房により浴室の温度が設定温度に達したときに、リモコンによる報知（浴室の温度が適温になったことの報知）を行うようにした構成が提案されている（例えば、特許文献１参照）。
【０００３】
また、浴室暖房装置にミストノズルから湯を噴霧するミスト噴霧ユニットを組み込み、浴室を暖房しながらミストノズルから湯を噴霧することでサウナ効果を生じさせるミストサウナ機能を備えた構成が提案されている（例えば、特許文献２参照）。
【先行技術文献】
【特許文献】
【０００４】
【特許文献１】特開２００２−１９５５７８号公報
【特許文献２】特開２０１１−５２９２３号公報
【発明の概要】
【発明が解決しようとする課題】
【０００５】
特許文献２に記載された浴室暖房装置においては、浴室リモコンのミストスイッチがオン操作されたときに、暖房ユニットによる暖房運転が開始されると共に、ミスト噴霧ユニットによるミストサウナ運転が開始される。そして、この場合に、特許文献１に記載された温水暖房システムのように、浴室内の温度が設定温度に達した時に報知を行って、浴室内がミストサウナ状態になったことを使用者に知らせることが考えられる。
【０００６】
しかしながら、上述したように、ミストサウナ状態になったことを浴室内の温度上昇によって行う場合には、ミスト噴霧ユニットが故障して湯の噴霧ができなくなっているときに、湯の噴霧が行われていないにも拘わらず、ミストサウナ状態であると誤って報知されてしまう。
【０００７】
そして、この場合は、報知により浴室内が快適なミストサウナ状態であると想定して、入浴した使用者に対して、実際にはミストサウナ状態となっていないことによる不快感や失望感を与えてしまうという不都合がある。
【０００８】
本発明はかかる背景を鑑みてなされたものであり、浴室内がミストサウナ状態となっていないときに、ミストサウナ状態であるとの報知がなされることを防止したミストサウナ機能付き浴室暖房装置を提供することを目的とする。
【課題を解決するための手段】
【０００９】
本発明は上記目的を達成するためになされたものであり、浴室内を暖房する暖房ユニットと、先端にミストノズルが接続されたミスト水路と、該ミスト水路を流通する水を加熱するミスト加熱部と、該ミスト水路を開閉するミスト開閉弁とを有し、該ミスト開閉弁を開弁状態として、該ミスト加熱部により加熱生成された湯を前記ミストノズルから噴霧するミスト噴霧ユニットと、前記暖房ユニットにより浴室内を暖房しつつ、前記ミスト噴霧ユニットにより浴室内に湯を噴霧するミストサウナ運転を実行する運転制御部と、前記運転制御部に対して、前記ミストサウナ運転の開始を指示するミストサウナ開始指示部と、前記ミストノズルからの湯の噴霧が開始されたことを検知する噴霧開始検知部と、前記ミストサウナ開始指示部による前記ミストサウナ運転の開始指示がなされたときに、前記噴霧開始検知部により前記ミストノズルからの湯の噴霧の開始が検知された後、所定のミストサウナ準備完了条件が成立した時に、浴室内がミストサウナ状態になっていることを報知するミストサウナ報知部とを備える。
そして、第１発明は、前記ミスト加熱部は、前記ミスト水路及び熱媒が供給される熱媒循環路の途中に接続されて、前記ミスト水路を流通する水を前記熱媒循環路を流通する熱媒からの放熱により加熱する液々熱交換器であり、前記ミスト噴霧ユニットは、前記ミスト水路の前記液々熱交換器と前記ミストノズルとの間に設けられて、前記ミスト水路内の湯水の温度を検出するミスト温度センサを有し、前記運転制御部は、前記ミストサウナ運転の開始指示があったときに、前記熱媒循環路を介した前記液々熱交換器への熱媒の供給を開始し、その後、前記ミスト温度センサの検出温度が所定のミスト開始温度以上になった時に、前記ミスト開閉弁を開弁する処理を行い、前記噴霧開始検知部は、前記ミストサウナ開始指示部による前記ミストサウナ運転の開始指示がなされた後、前記ミスト温度センサの検出温度が、前記ミスト開始温度を超えた後に第１温度幅以上低下したときに、前記ミストノズルからの湯の噴霧が開始されたと検知することを特徴とする。
【００１０】
第１発明によれば、前記ミストサウナ開始指示部による前記ミストサウナ運転の開始指示がなされたときに、前記ミストサウナ報知手段は、前記噴霧開始検知部により前記ミストノズルからの湯の噴霧の開始が検知された後、前記ミストサウナ準備完了条件が成立した時に、浴室内がミストサウナ状態にあることを報知する。この場合、前記ミスト開閉弁の閉弁故障（前記ミスト開閉弁が閉弁状態に維持されて、開弁が不能になった故障状態）等により、前記ミストノズルからの湯の噴霧が不能な状況になっているときには、前記噴霧開始検知部による前記ミストノズルからの湯の噴霧の開始が検知されないため、前記報知手段による報知は行われない。そのため、実際にはミストサウナ状態になっていないにも拘わらず、前記ミストサウナ報知手段により、浴室内がミストサウナ状態になっているとの報知がされることを防止することができる。
【００１２】
さらに第１発明によれば、前記熱源機から前記熱媒循環路への熱媒の供給が開始されると、前記液々熱交換器内の前記ミスト水路内に滞留した水が加熱され、前記液々熱交換器の下流側の前記ミスト水路内の水の温度が次第に上昇する。そして、前記ミスト電磁弁が開弁制御されたときに前記ミスト電磁弁が故障していなければ、前記ミスト電磁弁が開弁して、前記ミストノズルからの湯の噴霧が開始されるが、このとき、前記液々熱交換器内の湯の温度は、下流側の前記ミスト温度センサの付近よりも高くなっている。そのため、前記液々熱交換器の下流側に供給される湯の温度は、一旦前記ミスト開始温度を超えた後に、前記液々熱交換器への水の供給により低下する。
【００１３】
そこで、前記噴霧開始検知部は、前記ミスト温度センサの検出温度が、前記ミスト開始温度を越えた後に前記第１温度幅以上低下したときに、前記ミストノズルからの湯の噴霧が開始されたと検知することができる。
【００１４】
次に、第２発明は、浴室内の温度を検出する浴室温度センサを備え、前記噴霧開始検知部は、前記ミストサウナ開始指示部による前記ミストサウナ運転の開始指示がなされた後、前記浴室温度センサの検出温度が第２温度幅以上低下したときに、前記ミストノズルからの湯の噴霧が開始されたと検知することを特徴とする。
【００１５】
第２発明において、前記ミストノズルからの湯の噴霧が開始されると、浴室内に噴霧されたミストによる吸熱によって浴室内の温度が低下する。そのため、前記噴霧開始検知部は、前記浴室温度センサの検出温度が前記第２温度幅以上低下したときに、前記ミストノズルからの湯の噴霧が開始されたと検知することができる。
【００１６】
また、第１発明又は第２発明において、前記ミストサウナ準備完了条件として、所定のミストサウナ準備時間の経過が設定され、浴室内の温度を検出する浴室温度センサと、前記ミストサウナ開始指示部による前記ミストサウナ運転の開始指示がなされたときに、該開始指示がなされた時点での前記浴室温度センサの検出温度に基づいて、該検出温度が低いほど前記ミストサウナ準備時間を長く設定するミストサウナ準備時間設定部とを備えたことを特徴とする（第３発明）。
【００１７】
第３発明によれば、浴室内の温度が低いほど、前記暖房ユニットにより浴室内の温度を上昇させると共に、前記ミスト噴霧ユニットにより浴室内に湯を噴霧して、ミストサウナ状態（例えば、浴室の温度が３８℃以上、且つ、浴室の湿度が１００％の状態）にするのに要する時間が長くなると想定される。そのため、前記浴室温度センサの検出温度が低いほど、前記ミストサウナ準備時間を長く設定することによって、前記ミストサウナ運転の開始時の浴室温度に応じた、適切な前記ミストサウナ準備時間を設定することができる。
【００１８】
また、第１発明から第３発明において、前記ミストサウナ準備完了条件として、所定のミストサウナ準備時間の経過が設定され、浴室内の温度を検出する浴室温度センサを備え、前記ミストサウナ報知部は、前記ミストサウナ開始指示部による前記ミストサウナ運転の開始指示がなされたときに、前記噴霧開始検知部により前記ミストノズルからの湯の噴霧の開始が検知された時点から、前記ミストサウナ準備時間が経過し、且つ、前記浴室温度センサの検出温度が所定のミストサウナ準備温度以上となったときに、前記報知を行なうことを特徴とする（第４発明）。
【００１９】
第４発明によれば、使用者は、前記報知を確認して入浴することにより、浴室内が前記ミストサウナ準備温度以上となった状態でのミストサウナを楽しむことができる。
【図面の簡単な説明】
【００２０】
【図１】浴室暖房装置の構成図。
【図２】浴室暖房装置を含む熱源システムの構成図。
【図３】ミストサウナ運転のフローチャート。
【図４】ミストノズルからの湯の噴霧開始を検知する手法の説明図。
【発明を実施するための形態】
【００２１】
本発明の実施形態について、図１〜図４を参照して説明する。図１及び図２に示すミストサウナ機能付き浴室暖房装置１（以下、浴室暖房装置１という）は、図２に示したように、暖房ユニット２、ミスト噴霧ユニット３、及び打たせ湯ユニット４を備えている。
【００２２】
また、浴室暖房装置１の暖房ユニット２及びミスト噴霧ユニット３に熱交換用の温水を循環供給すると共に、打たせ湯ユニット４に湯を供給する熱源機５は、給湯用バーナ５１ａで加熱される給湯用熱交換器５１と、暖房用バーナ５２ａで加熱される暖房用熱交換器５２とを備えている。
【００２３】
暖房ユニット２は、図１に示したように、浴室ＢＲの天井部ＢＲ１に配置され、下面に吸込み口２１ａ及び吹出し口２１ｂを有して、吸込み口２１ａから吹出し口２１ｂに至る通風路を画成する通風ケース２１と、通風ケース２１内に配置されて、浴室ＢＲ内の空気を通風ケース２１内の通風路を介して循環させる循環ファン２２と、通風ケース２１内に配置されて、周囲の空気を加熱する暖房用放熱器２３とを備えている。
【００２４】
循環ファン２２により吸込み口２１ａから通風ケース２１内に吸い込まれた浴室ＢＲの空気は、暖房用放熱器２３で加熱され、温風となって吹出し口２１ｂから浴室ＢＲに吹出される。また、暖房ユニット２は、吸込み口２１ａの付近に設けられて、浴室ＢＲの室温を検出する浴室温度センサ２６（サーミスタ等が用いられる）を備えている。
【００２５】
図２に示したように、暖房用放熱器２３は、主熱媒循環路２４を介して熱源機５の暖房用熱交換器５２と接続されている。主熱媒循環路２４には、暖房用熱媒弁２４ａ、シスターン２４ｂ、及び循環ポンプ２４ｃが介設されており、暖房用熱媒弁２４ａの開弁及び循環ポンプ２４ｃの作動によって、熱媒体（水、不凍液等）が主熱媒循環路２４を循環する。熱媒体は熱源機５の暖房用熱交換器５２で加熱されて暖房用放熱器２３に供給され、暖房用放熱器２３で放熱した後に熱源機５の暖房用熱交換器５２へ戻って再び加熱される。
【００２６】
ミスト噴霧ユニット３は、先端にミストノズル３１が接続されたミスト水路３２を備え、ミストノズル３１から浴室ＢＲに温水を噴霧する。ミスト水路３２には、上流側から順に、ミスト温度センサ３２ａ（サーミスタ等が用いられる）と、ミスト開閉弁３２ｂが介設されている。
【００２７】
ミスト水路３２の途中箇所には、プレート式の液々熱交換器３３（本発明のミスト加熱部に相当する）が設けられている。ミスト水路３２の液々熱交換器３３の上流側には、フィルタ３４ａ、逆止弁３４ｂ、及び給水弁３４ｃが介設されている。ミスト水路３２は給水管３４に接続され、給水管３４からミスト水路３２に水が供給される。
【００２８】
液々熱交換器３３には、主熱媒循環路２４から分岐した副熱媒循環路２５が接続されており、この副熱媒循環路２５に流量調節弁２５ａが介設されている。流量調節弁２５ａを開弁すると、熱源機５の暖房用熱交換器５２で加熱された熱媒体が液々熱交換器３３に供給される。
【００２９】
そして、給水弁３４ｃ及びミスト開閉弁３２ｂの開弁により、給水管３４から供給された水が液々熱交換器３３で熱媒体の熱により加熱され、湯となってミスト水路３２を介してミストノズル３１に供給される。なお、主熱媒循環路２４と副熱媒循環路２５とにより、本発明の熱媒循環路が構成される。
【００３０】
打たせ湯ユニット４は、先端に打たせ湯ノズル４１が接続された打たせ湯水路４２を備えている。打たせ湯水路４２は、熱源機５の給湯用熱交換器５１に連通した給湯路５１ｂに接続されている。打たせ湯水路４２には、上流側から順に、フィルタ４２ａ、打たせ湯水量サーボ４２ｂ、打たせ湯温度センサ４２ｃ（サーミスタ等が用いられる）、及び出湯弁４２ｄが介設されている。
【００３１】
また、打たせ湯水路４２には、打たせ湯温度センサ４２ｃと出湯弁４２ｄとの間の部分から分岐する排水路４３が設けられている。排水路４３には排水弁４３ａが介設されている。打たせ湯水路４２の打たせ湯水量サーボ４２ｂと打たせ湯温度センサ４２ｃとの間の部分には、ミスト水路３２のミスト温度センサ３２ａとミスト開閉弁３２ｂとの間の部分から分岐したバイパス路４４が接続されている。
【００３２】
なお、給湯路５１ｂには、浴室ＢＲ内に設置されたシャワーや他の家庭用蛇口等の出湯栓（図示しない）が接続される。
【００３３】
浴室暖房装置１は、暖房コントローラ１０（図１，２参照）を備え、暖房コントローラ１０は、暖房ユニット２、ミスト噴霧ユニット３、及び打たせ湯ユニット４の作動を制御する。暖房コントローラ１０は、図２に示したように、熱源機５の作動を制御する熱源コントローラ５５と、端末通信ケーブル１９により通信可能に接続されている。
【００３４】
また、熱源コントローラ５５は、リモコンケーブル５６により浴室リモコン５７と通信可能に接続されると共に、リモコンケーブル５８により台所リモコン５９と通信可能に接続されている。
【００３５】
熱源コントローラ５５と浴室リモコン５７及び台所リモコン５９は、電源重畳通信仕様により相互通信を行う。熱源コントローラ５５と浴室暖房機１は、インテリジェント通信仕様により相互通信を行う。熱源コントローラ５５は、浴室リモコン５７及び台所リモコン５９と暖房コントローラ１０との間でデータの送受信を行う。
【００３６】
例えば、浴室リモコン５７又は台所リモコン５９に備えられた各種スイッチ（図示しない）が操作されたときに、浴室リモコン５７又は台所リモコン５９から熱源コントローラ５５に、スイッチの操作状況を示すデータが送信されるが、この操作状況が浴室暖房装置１に関するものであるときには、熱源コントローラ５５は、この操作状況を示すデータを暖房コントローラ１０に送信する。
【００３７】
また、暖房コントローラ１０は、浴室暖房装置１の運転状況を示すデータを熱源コントローラ５５に送信するが、この運転状況が浴室リモコン５７又は台所リモコン５９による報知に関するものであるときには、熱源コントローラ５５は、この運転状況を示すデータを浴室リモコン５７又は台所リモコン５９に送信する。
【００３８】
暖房コントローラ１０は、ＣＰＵやメモリ等により構成された電子ユニットであり、メモリに保持された浴室暖房装置１の制御用プログラムをＣＰＵで実行することによって、図１（ｂ）に示したように、暖房運転，打たせ湯運転，ミストサウナ運転等を実行する運転制御部１１、ミストノズル３１からの湯の噴霧の開始を検知する噴霧開始検知部１２、ミストサウナの準備が完了したことを報知するミストサウナ報知部１３、後述するミストサウナ準備時間を設定するミストサウナ準備時間設定部１４、ミストサウナ準備タイマ１５、及び運転タイマ１６として機能する。
【００３９】
暖房コントローラ１０は、浴室リモコン５７の暖房スイッチ（図示しない）がオンされたことを、熱源コントローラ５５から受信したスイッチ操作データにより認識すると、暖房運転を実行する。暖房コントローラ１０は、暖房用バーナ５２ａを燃焼させ、且つ、循環ポンプ２４ｃを作動させる暖房指令データを熱源コントローラ５５に送信すると共に、暖房用熱媒弁２４ａを開弁し、暖房用熱交換器５２で加熱された熱媒体を主熱媒循環路２４を介して暖房用放熱器２３に循環させ、更に、循環ファン２２を作動させることによって、温風を浴室ＢＲに送風する暖房運転を実行する。
【００４０】
また、暖房コントローラ１０は、浴室リモコン５７のスプラッシュミストスイッチ（図示しない）がオンされたことを、熱源コントローラ５５から受信したスイッチ操作データにより認識すると、ミストサウナ運転を実行する。暖房コントローラは、熱源機５に暖房指令データを送信して上記暖房運転を実行すると共に、流量調節弁２５ａを開弁し、暖房用熱交換器５２で加熱された熱媒体を主熱媒循環路２４から副熱媒循環路２５を介して液々熱交換器３３に供給し、更に、給水弁３４ｃ及びミスト開閉弁３２ｂを開弁して、液々熱交換器３３で加熱された湯をミストノズル３１から噴霧することによって、ミストサウナ運転を実行する。
【００４１】
また、暖房コントローラ１０は、浴室リモコン５７の打たせ湯スイッチ（図示しない）がオンされたことを、熱源コントローラ５５から受信したスイッチ操作データにより認識すると、打たせ湯水量サーボ４２ｂと出湯弁４２ｄとを開弁し、給湯用熱交換器５１で加熱生成された湯を打たせ湯ノズル４１から吐出することによって、打たせ湯運転を実行する。
【００４２】
次に、暖房コントローラ１０は、浴室リモコン５７のスプラッシュミストスイッチ（図示しない）の操作によって、ミストサウナ運転の開始が指示されたときに、ミストサウナ運転が開始されて、浴室ＢＲ内がミストサウナの準備完了条件（例えば、室温３８℃以上、且つ湿度１００％）が満たされたタイミングで、浴室リモコン５７及び台所リモコン５９による報知を行なう処理を実行する。以下、図３に示したフローチャートに従って、この処理について説明する。
【００４３】
なお、浴室リモコン５７スプラッシュミストスイッチの操作により、熱源機を介して暖房コントローラ１０の運転制御部１１にミストサウナ運転の開始を指示する構成が、本発明のミストサウナ開始指示部に相当する。
【００４４】
図３のＳＴＥＰ１で、熱源コントローラ５５との通信によって、ミストサウナ運転の開始指示を認識したときにＳＴＥＰ２に進む。ＳＴＥＰ２は、ミストサウナ準備時間設定部１４による処理であり、ミストサウナ準備時間設定部１４は、以下の表に示したように、浴室温度センサ２６の検出温度Ｔh1に応じて、検出温度Ｔh1が低いほどミストサウナ準備タイマの時間を長く設定する。
【００４５】
【表１】
0005501287.tif 000002
【００４６】
続くＳＴＥＰ３〜ＳＴＥＰ８は運転制御部１１による処理である。運転制御部１１は、ＳＴＥＰ３でミストサウナ運転の実行時間をタイマ時間とする運転タイマをスタートさせる。なお、ミストサウナ運転の実行時間は、浴室リモコン５７の操作によって設定が可能であり、初期設定は１時間になっている。
【００４７】
次のＳＴＥＰ４で、運転制御部１１は暖房運転を開始し、ＳＴＥＰ５で、流量調節弁２５ａを開弁して、液々熱交換器３３での水の加熱を開始する。そして、ＳＴＥＰ６で浴室温度センサ２６の検出温度Ｔh1が３５℃以上となり、且つ、ＳＴＥＰ７でミスト温度センサ３２ａの検出温度Ｔh2が４０℃（本発明のミスト開始温度に相当する）以上になったときにＳＴＥＰ８に進む。
【００４８】
ＳＴＥＰ８で、運転制御部１１は、給水弁３４ｃとミスト開閉弁３２ｂを開弁制御する。この場合、ミスト開閉弁３２ｂの閉弁故障（閉弁状態に維持されて開弁が不能となった故障状態）等が生じていなければ、ミスト開閉弁３２ｂが開弁状態になり、液々熱交換器３３で加熱生成された湯がミスト水路３２からミストノズル３１に供給され、ミストノズル３１からの湯の噴霧が開始される。
【００４９】
続くＳＴＥＰ９〜ＳＴＥＰ１０は、噴霧開始検知部１２による処理である。噴霧開始検知部１２は、ＳＴＥＰ７で４０℃を超えて上昇したミスト温度センサ３２ａの検出温度Ｔh2の極大値をＴh2_maxとしてメモリに保持する。そして、次のＳＴＥＰ１０で、ミスト温度センサ３２ａの検出温度Ｔh2がＴh2_maxから５℃（本発明の第１温度幅に相当する）以上低くなったとき（Ｔh2＜Ｔh2_max−５℃）に、噴霧開始検知部１２は、ミストノズル３１からの湯の噴霧が開始されたと検知する。
【００５０】
ここで、図４（ａ）は、ミスト開閉弁３２ｂが開弁されて、ミストノズル３１からの湯の噴霧が開始されたときのミスト温度センサ３２ａの検出温度Ｔh2の変化を、縦軸をミスト温度センサ３２ａの検出温度Ｔh2に設定し、横軸を時間ｔに設定して示したものである。
【００５１】
図４（ａ）のｔ1はミスト開閉弁３２ｂが開弁された時点であり、ミスト温度センサ３２ａの検出温度Ｔh2が４０℃を超えてＴh2_maxまで上昇している。これは、ミスト温度センサ３２ａが液々熱交換器３３の出口側付近のミスト水路３２に設けられているため、ミスト開閉弁３２ｂが閉弁されているときは、ミスト温度センサ３２ａ付近の水の温度が液々熱交換器３３内の水の温度よりも低くなっていたが、ミスト開閉弁３２ｂの開弁によって液々熱交換器３３内の湯がミスト温度センサ３２ａ側に流れて、ミスト温度センサ３２ａの検出温度Ｔh2が上昇するからである。
【００５２】
また、ミスト温度センサ３２ａの検出温度Ｔh2は、一旦Ｔh2_maxまで上昇した後にＴw1以上低下しているが、これは、液々熱交換器３３に給水管３４からの水が供給されて液々熱交換器３３内の水の温度が低下するためである。
【００５３】
そこで、噴霧開始検知部１２は、ミスト温度センサ３２ａの検出温度Ｔh2が、ミスト開閉弁３２ｂの開弁制御がなされた時点ｔ1から極大値Ｔh2_maxまで上昇した後、Ｔw1以上低下したときに、ミストノズル３１からの湯の噴霧が開始されたと検知することができる。
【００５４】
なお、ｔ1からのミスト温度センサ３２ａの検出温度Ｔh2の上昇と低下は、必ずしも極大値Ｔh2_maxを基準にする必要はなく、Ｔh2がｔ1での温度（本実施形態では４０℃）を超えるまで上昇した後に所定幅低下したことを確認することによって、ミストノズル３１からの湯の噴霧の開始を検知することができる。
【００５５】
続くＳＴＥＰ１１〜ＳＴＥＰ１３は、ミストサウナ報知部１３による処理である。ミストサウナ報知部１３は、ＳＴＥＰ１１でミストサウナ準備タイマをスタートさせ、続くＳＴＥＰ１２でミストサウナ準備タイマのタイムアップを待つ。そして、ミストサウナ準備タイマがタイムアップしたときにＳＴＥＰ１３に進み、ミストサウナ報知部１３は、熱源コントローラ５５に対して、ミストサウナの準備完了を通知するミストサウナ準備完了データを送信する。
【００５６】
なお、ＳＴＥＰ１１〜ＳＴＥＰ１２により、ミストサウナ準備タイマのタイマアップを待つこと（ミストサウナ準備時間の経過）は、本発明のミストサウナ準備完了条件に相当する。
【００５７】
熱源コントローラ５５は、ミストサウナ準備完了データを受信すると、浴室リモコン５７及び台所リモコン５９に対して、ミストサウナ準備完了の報知を指示するミストサウナ報知データを送信する。このミストサウナ報知データを受信した浴室リモコン５７及び台所リモコン５９は、ミストサウナの準備完了を知らせる報知（「ミストサウナの準備が完了しました」との音声出力等）を行う。
【００５８】
この浴室リモコン５７及び台所リモコン５９での報知により、使用者は浴室内が快適なミストサウナ状態となったことを認識して、入浴することができる。それに対して、ミスト開閉弁３２ｂの閉弁故障等によってミストノズル３１からの湯の噴霧が開始されない場合は、図４（ａ）に示したように、ミスト温度センサ３２ａの検出温度Ｔh2が一旦上昇した後に低下することはない。
【００５９】
そのため、噴霧開始検知部１２により、ミストノズル３１からの湯の噴霧が開始されたことが検知されず、浴室リモコン５７及び台所リモコン５９でのミストサウナの準備完了の報知はなされない。したがって、ミスト開閉弁３２ｂの閉弁故障等により、ミストノズル３１からの湯の噴霧がなされず、浴室ＢＲ内がミストサウナ状態となっていないにも拘わらず、ミストサウナの準備完了の報知がなされることを防止することができる。
【００６０】
なお、ミスト開閉弁３２ｂの開弁制御を行ってから所定時間内に、噴霧開始検知部１２によりミストノズル３１からの湯の噴霧の開始が検知されなかったときには、浴室リモコン５７や台所リモコン５９によるエラー報知を行なうようにしてもよい。
【００６１】
続くＳＴＥＰ１４〜ＳＴＥＰ１６は運転制御部１１による処理である。運転制御部１１は、ＳＴＥＰ１４で運転タイマのタイムアップを待ってＳＴＥＰ１５に進み、暖房運転を停止する。そして、次のＳＴＥＰ１６で、運転制御部１１は、ミスト開閉弁３２ｂ、給水弁３４ｃ、流量調節弁２５ａを閉弁して、液々熱交換器３３での加熱を停止し、ＳＴＥＰ１７に進んで処理を終了する。
【００６２】
なお、本実施の形態では、噴霧開始検知部１２は、図ＳＴＥＰ９〜ＳＴＥＰ１０の処理により、図４（ａ）を参照して上述したように、ミスト温度センサ３２ａの検出温度Ｔh2がＴh2_iniから一旦上昇した後、Ｔw1以上低下したときに、ミストノズル３１から湯の噴霧が開始されたと検知した。
【００６３】
しかし、噴霧開始検知部１２によるミストノズル３１から湯の噴霧の開始の検知方法はこれに限られず、例えば、図４（ｂ）に示したように、浴室温度センサ２６の検出温度Ｔh1が、所定温度幅Ｔw2（本発明の第２温度幅に相当する）以上低下したときに、ミストノズル３１から湯の噴霧が開始されたと検知するようにしてもよい。
【００６４】
図４（ｂ）は、ミスト開閉弁３２ｂが開弁されて、ミストノズル３１から湯の噴霧が開始されたときの浴室温度センサ２６の検出温度Ｔh1の変化を、縦軸を浴室温度センサ２６の検出温度Ｔh1に設定し、横軸を時間ｔに設定して示したものである。
【００６５】
図４（ｂ）のｔ2はミスト開閉弁３２ｂが開弁された時点であり、浴室温度センサ２６の検出温度Ｔh1がｔ2から低下している。これは、浴室ＢＲに噴霧された湯が気化することによる吸熱によって、浴室ＢＲ内の温度が低下するためである。一方、ミスト開閉弁３２ｂの閉弁故障等により、ミストノズル３１からの湯の噴霧が開始されなかったときには、このような浴室温度センサ２６の検出温度Ｔh1の低下は生じない。
【００６６】
或いは、図１（ａ）に示したように、暖房ユニット２の吸込み口２１ａ付近に湿度センサ２７を備え、湿度センサ２７の検出湿度Ｈuの変化によって、ミストノズル３１からの湯の噴霧の開始を検知してもよい。
【００６７】
図４（ｃ）は、ミスト開閉弁３２ｂが開弁されて、ミストノズル３１から湯の噴霧が開始されたときの湿度センサ２７の検出湿度Ｈuの変化を、縦軸を湿度センサ２７の検出湿度Ｈuに設定し、横軸を時間ｔに設定して示したものである。
【００６８】
図４（ｃ）のｔ3はミスト開閉弁３２ｂが開弁された時点であり、湿度センサ２７の検出湿度Ｈuがｔ3から上昇している。これは、浴室ＢＲに噴霧された湯によって、浴室ＢＲ内の湿度が上昇するためである。一方、ミスト開閉弁３２ｂの閉弁故障等により、ミストノズル３１からの湯の噴霧が開始されなかったときには、このような湿度センサ２７の検出湿度Ｈuの上昇は生じない。
【００６９】
また、本実施の形態では、ミストサウナ運転の開始指示がなさた時点での浴室温度に応じて、ミストサウナ準備時間を設定するミストサウナ準備時間設定部１４を備えたが、ミストサウナ準備時間を固定時間にしてもよい。
【００７０】
また、本実施の形態では、図３のＳＴＥＰ１２で、ミストサウナ準備タイマがタイムアップしたときに、ＳＴＥＰ１３に進んでミストサウナの準備完了を報知したが、ミストサウナ準備タイマがタイムアップし、且つ、浴室温度センサ２６の検出温度が所定のミストサウナ準備完了温度（例えば３８℃）以上になったときに、ミストサウナの準備完了を報知するようにしてもよい。
【００７１】
また、本実施形態では、本発明のミストサウナ準備完了条件として、図３のＳＴＥＰ１１〜ＳＴＥＰ１２によるミストサウナ準備時間の経過を設定したが、浴室温度センサ２６の検出温度が所定のミストサウナ準備完了温度（例えば３８℃）以上になることを、ミストサウナ準備完了条件として設定してもよい。
【００７２】
また、本実施形態では、本発明のミスト加熱部として液々熱交換器３３を用いた構成を示したが、電気ヒータ等の他の構成によるミスト加熱部を用いてもよい。
【符号の説明】
【００７３】
１…ミストサウナ機能付き浴室暖房装置、２…暖房ユニット、３…ミスト噴霧ユニット、４…打たせ湯ユニット、５…熱源機、２２…循環ファン、２３…暖房用放熱器、２４…主熱媒循環路、２４ａ…暖房用熱媒弁、２４ｃ…循環ポンプ、２５…副熱媒循環路、２５ａ…ミスト用流量調節弁、３１…ミストノズル、３２…ミスト水路、３２ａ…ミスト温度センサ、３２ｂ…ミスト開閉弁、３３…液々熱交換器、３４…給水管、３４ｃ…給水弁、５１…給湯用熱交換器、５２…暖房用熱交換器、５５…熱源コントローラ、５７…浴室リモコン、５９…台所リモコン、ＢＲ…浴室。
【図１】
0005501287.tif 000003
【図２】
0005501287.tif 000004
【図３】
0005501287.tif 000005
【図４】
0005501287.tif 000006